(57)【要約】      （修正有）【課題】手摺先端部と隣接する階段の手摺支柱との間隔にバラツキがあっても容易に係合できる手摺り取付構造を提供する。【解決手段】階段手摺取付構造３０は手摺支柱３１の上端部３１ａに手摺３２が取付けられ、手摺先端部３２ａと隣接する隣接手摺支柱３３とが係合手段３６で係合される。隣接手摺支柱３３の断面形状は略Ｈ字形状で両側面に溝部３３ｂが上下方向に形成される。係合手段３６の断面形状は平面視コ字状で一対の一端部３６ａに内向きに円筒形状のピン部３７が突出され、ピン部３７は仮止め状態で作業が進められ、最終的に係合手段３６はピン部３７を挿通するネジ等の固着具３７ｂにより隣接手摺支柱３３の溝部３３ｂに固着されてピン固定の状態となる。他端部３６ｂがネジ等の固着具３６ｄで手摺３２に固着される。【選択図】図１
2008002246.tif 000002
【特許請求の範囲】
【請求項１】
複数の手摺支柱が立設され各手摺支柱の手摺保持部に手摺を取付けて成る水平又は斜め階段の手摺先端部と、この手摺先端部に隣接する上階又は上階への階段の隣接手摺支柱とが係合手段を介して係合される階段手摺取付構造であって、
前記係合手段の一端部は前記隣接手摺支柱に設けられる受部とスライド自在に係合するピン部を備え、前記受部が前記隣接手摺支柱の側面に上下方向に形成される溝部であることを特徴とする階段手摺取付構造。
【請求項２】
請求項１記載の階段手摺取付構造であって、前記係合手段は平面視コ字状で他端部が前記手摺先端部に固定又はピン固定され、前記一端部のピン部は前記コ字状の一対の側面の内側に立設されることを特徴とする階段手摺取付構造。
【請求項３】
請求項１記載の階段手摺取付構造であって、前記係合手段は一対又は一片の帯状板で他端部が前記手摺先端部に前記手摺先端部を覆うキャップを介して固定又はピン固定され、前記一端部のピン部は前記帯状板の一対又は一片の側面の内側に立設又は宛がわれることを特徴とする階段手摺取付構造。
【請求項４】
請求項１乃至請求項３のいずれか１項に記載の階段手摺取付構造であって、前記溝部の上方向端部に前記ピン部を挿入可能とする開口部を備えることを特徴とする階段手摺取付構造。
【請求項５】
請求項１乃至請求項４のいずれか１項に記載の階段手摺取付構造であって、前記係合手段の一端部は、ピン部を貫通して前記隣接手摺支柱に至る固定具で固定されることを特徴とする階段手摺取付構造。
【請求項６】
階段の踏板に手摺支柱が立設され各手摺支柱の手摺保持部に手摺を取付けて成る水平又は斜め階段の手摺先端部とこの手摺先端部に隣接する上階又は上階への階段の隣接手摺支柱とが係合手段を介して固定される階段手摺取付方法であって、
前記係合手段の一端部は前記隣接手摺支柱に設けられる受部とスライド自在に係合するピン部を備え、前記受部が前記隣接手摺支柱の側面に上下方向に形成される溝部であり、
前記各手摺支柱を立設したのちに、前記手摺を各手摺支柱の手摺保持部に沿わせて前記係合手段の他端部が前記手摺先端部に固定又はピン固定された状態で一端部のピン部を溝部に挿入することで前記手摺先端部と前記隣接手摺支柱間を仮止めし、
前記各手摺支柱に前記手摺を固定したのちに、前記ピン部に固定具を貫通して前記係合手段の一端部を前記隣接手摺支柱に固定することで、前記手摺先端部と前記隣接手摺支柱とが本固定されることを特徴とする階段手摺取付方法。 
【発明の詳細な説明】
【技術分野】
【０００１】
本発明は、オープン階段の階段手摺取付構造と階段手摺取付方法に関するもので、詳しくは、手摺先端部と隣接する階段手摺支柱との間に間隔のバラツキがあっても容易に係合できる階段手摺取付構造の技術に関する。
【背景技術】
【０００２】
従来、オープン階段の階段手摺取付構造としての係合手段の構成が特許文献１に開示されている。
【０００３】
図８に示すように、階段手摺は傾斜角４５°の丸形手摺パイプＣで、ジョイント金具Ａの円弧球面状連結凹面２、２にそれぞれ手摺取付金具Ｂの円弧球面状連結凸面８ａを宛がいながら摺動して各々の角度を階段角度に合致させる。
【０００４】
そして、手摺取付金具Ｂのドームヘッド部８の内側から連結ボルト１２にて手摺取付金具Ｂの円弧球面状連結凸面８ａ中央部域に貫設された十字形切通し孔４及びジョイント金具Ａの円弧球面状連結凹面２の中央に貫設された連結雌螺子孔１を用いて固定する。これにより、二つの手摺取付金具Ｂはジョイント金具Ａによって固定される。
【０００５】
次に、各々の階段の丸形手摺パイプＣ端を、下側に凹設された溝部１３と前記手摺取付金具Ｂのボルト結合片部６とが挿入するように、各々の手摺取付金具Ｂの結合円筒首部５に外嵌する。
【０００６】
その後、手摺固定ボルト９を前記手摺取付金具Ｂのボルト結合片部６に貫設された手摺固定ボルト孔７及び丸形手摺パイプＣの固定ワッシャー金具１１及び手摺固定ナット１０に重ねて固定を完了する。この階段手摺取付構造であれば広範囲の階段角度に対応できる。
【特許文献１】実開平５−３５９４０号公報
【発明の開示】
【発明が解決しようとする課題】
【０００７】
ところが、上記の従来例では、一対の丸形手摺パイプＣが近接する状態では広範囲な階段角度には対応できるが、一対の丸形手摺パイプＣがバラツキにより離れた状態では係合が困難であるという問題があった。
【０００８】
そこで、本発明はかかる従来技術の問題に鑑みなされたものであって、手摺先端部と隣接する階段の手摺支柱との間隔にバラツキがあっても容易に係合できる階段手摺取付構造と階段手摺取付方法を提供することを目的とする。
【課題を解決するための手段】
【０００９】
請求項１の発明は、複数の手摺支柱が立設され各手摺支柱の手摺保持部に手摺を取付けて成る水平又は斜め階段の手摺先端部と、この手摺先端部に隣接する上階又は上階への階段の隣接手摺支柱とが係合手段を介して係合される階段手摺取付構造であって、前記係合手段の一端部は前記隣接手摺支柱に設けられる受部とスライド自在に係合するピン部を備え、前記受部が前記隣接手摺支柱の側面に上下方向に形成される溝部であることを特徴としている。
【００１０】
請求項２の発明は、請求項１記載の階段手摺取付構造であって、前記係合手段は平面視コ字状で他端部が前記手摺先端部に固定又はピン固定され、前記一端部のピン部は前記コ字状の一対の側面の内側に立設されることを特徴としている。
【００１１】
請求項３の発明は、請求項１記載の階段手摺取付構造であって、前記係合手段は一対又は一片の帯状板で他端部が前記手摺先端部に前記手摺先端部を覆うキャップを介して固定又はピン固定され、前記一端部のピン部は前記帯状板の一対又は一片の側面の内側に立設又は宛がわれることを特徴としている。
【００１２】
請求項４の発明は、請求項１乃至請求項３のいずれか１項に記載の階段手摺取付構造であって、前記溝部の上方向端部に前記ピン部を挿入可能とする開口部を備えることを特徴としている。
【００１３】
請求項５の発明は、請求項１乃至請求項４のいずれか１項に記載の階段手摺取付構造であって、前記係合手段の一端部は、ピン部を貫通して前記隣接手摺支柱に至る固定具で固定されることを特徴としている。
【００１４】
請求項６の発明は、階段の踏板に手摺支柱が立設され各手摺支柱の手摺保持部に手摺を取付けて成る水平又は斜め階段の手摺先端部とこの手摺先端部に隣接する上階又は上階への階段の隣接手摺支柱とが係合手段を介して固定される階段手摺取付方法であって、前記係合手段の一端部は前記隣接手摺支柱に設けられる受部とスライド自在に係合するピン部を備え、前記受部が前記隣接手摺支柱の側面に上下方向に形成される溝部であり、前記各手摺支柱を立設したのちに、前記手摺を各手摺支柱の手摺保持部に沿わせて前記係合手段の他端部が前記手摺先端部に固定又はピン固定された状態で一端部のピン部を溝部に挿入することで前記手摺先端部と前記隣接手摺支柱間を仮止めし、前記各手摺支柱に前記手摺を固定したのちに、前記ピン部に固定具を貫通して前記係合手段の一端部を前記隣接手摺支柱に固定することで、前記手摺先端部と前記隣接手摺支柱とが本固定されることを特徴としている。
【発明の効果】
【００１５】
請求項１記載の発明によれば、前記係合手段の一端部は前記隣接手摺支柱に設けられる受部とスライド自在に係合するピン部を備えるので、前記手摺が前記手摺先端部を介してピン部で回転自在となり係合角度の調整が容易にできる。さらに、前記受部が前記隣接手摺支柱の側面に上下方向に形成される溝部であるので、前記手摺は前記溝部によって上下方向に容易に調整できる。
【００１６】
このため、前記手摺先端部と前記隣接手摺支柱の間の間隔や高さにバラツキがあっても前記係合手段の一端部の位置調整により前記手摺を容易に位置決めして取付けることができる。
【００１７】
請求項２記載の発明によれば、前記係合手段は平面視コ字状で他端部が前記手摺先端部に固定又はピン固定され、前記一端部のピン部は前記コ字状の一対の側面の内側に立設されるので、前記ピン部は前記隣接手摺支柱の両側面から前記溝部とスライド自在に安定して確実に連結できて請求項１の効果と同様の効果が得られる
請求項３記載の発明によれば、前記係合手段の前記一端部のピン部は前記帯状板の一対又は一片の側面の内側に立設又は宛がわれるので、立設する前記ピン部は前記隣接手摺支柱の側面の前記溝部とスライド自在に安定して確実に連結できるので請求項１の効果と同様の効果が得られる。
【００１８】
また、前記ピン部が宛がわれる場合でも、立設した各手摺支柱の手摺保持部に沿わせて前記手摺を安定保持できるので、ネジ等の固定具を挿通して保持される前記ピン部は隣接手摺支柱の溝部にスライド自在に連結できて請求項１の効果と同様の効果が得られる。
【００１９】
請求項４記載の発明によれば、前記溝部の上方向端部に前記ピン部を挿入可能とする開口部を備えるので、前記ピン部は前記隣接手摺支柱の側面の前記溝部に前記開口部から確実且つ容易に導入することができて請求項１の効果と同様の効果が得られる
請求項５の発明は、請求項１乃至請求項４のいずれか１項に記載の階段手摺取付構造であって、前記係合手段の一端部は、ピン部を貫通して前記隣接手摺支柱に至る固定具で固定されるので、位置決めした後に前記ピン部を前記隣接手摺支柱に確実に本固定できる。
【００２０】
請求項６の発明は、前記各手摺支柱を立設したのちに、前記手摺を各手摺支柱の手摺保持部に沿わせて前記係合手段の他端部が前記手摺先端部に固定又はピン固定された状態で一端部のピン部を溝部に挿入することで前記手摺先端部と前記隣接手摺支柱間を仮止めできるので、前記各手摺支柱に前記手摺を固定する作業が安定した状態で実施できるため、作業性が向上し作業の省力化及び作業の安全性を高めることができる。
【発明を実施するための最良の形態】
【００２１】
＜本発明の実施形態＞
以下に、本発明の第１の実施形態を図１〜図３に基づいて説明する。
【００２２】
＜階段手摺取付構造の構成＞  
図１、図２（ａ）（ｂ）、（ｃ）に示すように、本発明の実施形態における階段手摺取付構造３０は図示しない階段の踏板や下階の床面に複数の手摺支柱３１が立設され、この各手摺支柱３１の上端部３１ａの手摺保持部２９に手摺３２が取付けられ、手摺先端部３２ａと、この手摺先端部３２ａに隣接する上階又は上階への階段の一番手前に位置する隣接手摺支柱３３とが係合手段３６を介して係合される。手摺保持部２９と手摺３２はネジ等の固着具３１ｃによって固定される。
【００２３】
手摺３２の断面形状は幅Ｔ１、高さＳ１の略矩形形状で、下辺に深さＳ２の溝部３２ｂを備える。手摺支柱３１の上端部３１ａには階段の勾配に合わせて手摺３２を水平又は斜めの状態に自動調整するため回転支持部３１ｂが設けられる。
【００２４】
係合手段３６は平面視コ字状で、一端部３６ａの一対の側面３６ｅから内向きに円筒形状のピン部３７が立設される。係合手段３６はアルミダイカストや樹脂成形品である。
【００２５】
隣接手摺支柱３３の断面形状は略Ｈ字形状で両側面３５に受部３３ａとしての溝部３３ｂが上下方向に形成され、この溝部３３ｂにピン部３７がスライド自在に係合する。ここで、溝部３３ｂの上方端部３３ｃに開口部３３ｄを備えるので、ピン部３７を上方から容易に挿入することができる。
【００２６】
係合手段３６の他端部３６ｂには厚さＱ１の短板３６ｃが突設され、厚さＱ１の両側面３６ｅに挟まれて断面半円弧形状の補強材３８が厚さＱ１で設けられる。
【００２７】
この短板３６ｃを介して係合手段３６の他端部３６ｂは手摺先端部３２ａの手摺３２の溝部３２ｂにビス等の固着具３６ｄによって固定される。
【００２８】
係合手段３６は手摺先端部３２ａからピン部３７までの長さＬ１＝略１００ｍｍであり、水平状態の手摺３２から下方に角度θ＝４５度で折れ曲がっている。
【００２９】
図３に示すように、手摺３２と隣接手摺支柱３３との取付け角度はα１＝４０度からα２＝６０度まで任意に選べる。このため、図１に示す水平状態（α＝９０度）を加えると、取付け角度は４０度から９０度の範囲まで任意に使用可能であり、通常の取付け領域を十分カバーすることができる。
【００３０】
なお、ピン部３７は仮止め状態で作業が進められ、最終的にピン部３７を挿通するネジ等の固着具３７ｂにより溝部３３ｂに固着されてピン固定部の状態となる。
【００３１】
＜階段手摺取付構造の作用＞
上記のように、手摺３２の下辺に深さＳ２の溝部３２ｂを備えるので、溝部３２ｂが各手摺支柱３１の手摺保持部２９に跨ることにより手摺３２は左右にずれることなく保持される。このため、手摺先端部３２ａを隣接手摺支柱３３に係合手段３６を介して安定して仮止めができるので、手摺３２を各手摺支柱３１に固定する作業が安定した状態で実施できる。
【００３２】
また、係合手段３６のピン部３７は溝部３３ｂでスライド自在である。このため、係合手段３６によって係合位置や係合角度の調整が自由にできるので、手摺先端部３２ａと隣接手摺支柱３３の間の間隔や高さにバラツキがあっても位置決めが省施工で容易に実施できる。
【００３３】
手摺３２の勾配を広範囲に選ぶことができるので、様々な現場状況に対応できて汎用性に優れる。係合手段３６は手摺３２から下方に角度θ＝４５度で折れ曲がっているので、手摺３２の様々な勾配に対して手摺３２と隣接手摺支柱３３間は無理のない連続性を保持することができる。
【００３４】
手摺３２と隣接手摺支柱３３が係合するので手摺３２と隣接手摺支柱３３の強度が相互に増強するので安全性が向上するとともに転落防止の安全性も向上する。
【００３５】
＜本発明の第２の実施形態＞
本発明の第２の実施形態を図４〜図６を用いて説明するが、図１〜図３に示す階段手摺取付構造３０の構成と同様の構成は図面に同符号を付して重複した説明を省略する。
【００３６】
図４、図５、図６（ａ）（ｂ）に示すように、階段手摺取付構造３０ａは手摺先端部３２ａと隣接手摺支柱３３の片側面３５間を連結する係合手段３９を備える。係合手段３９は一片の帯状板４０で他端部４０ｂが手摺先端部３２ａに手摺先端部３２ａを覆うキャップ４１を介してピン固定され、一端部４０ａのピン部３７は帯状板の側面の内側に立設される。
【００３７】
ここで、各手摺支柱３１を立設したのちに、前記手摺３２を各手摺支柱３１の手摺保持部２９に沿わせた安定した状態でピン部３７を隣接手摺支柱３３の溝部３３ｂに仮止めできる。帯状板４０は厚さＱでその両端が半円弧状に形状され、ピン部３７から他端部４０ｂまでの長さＬ２＝略５０ｍｍである。
【００３８】
キャップ４１は略矩形凹部形状でその内部に短板４１ａが突設され、短板４１ａは固着具４４を介して手摺３２の溝部３２ｂに固定される。キャップ４１の下方に片側面４１ｂと略平行に取付片４１ｃが設けられ、取付片４１ｃに帯状板４０の他端部４０ｂがボルトとナットの固着具４２によって固定される。
【００３９】
本発明の第２の実施形態によれば本発明の第１の実施形態と同様の効果に加えて、隣接手摺支柱３３を含む上階の手摺支柱にアクリル板等が取付けられる場合に、係合手段３９を左右勝手のいずれかを選ぶだけでアクリル板等の取付金物との干渉を避けることができるので、柔軟性のある現場対応が確保できるため施工効率が向上する。
【００４０】
＜本発明の第３の実施形態＞
本発明の第３の実施形態を図７を用いて説明するが、図４、図５、図６に示す階段手摺取付構造３０ａの手摺３２及び隣接手摺支柱３３の構成は同様なのでその詳細説明を省略する。
【００４１】
図７に示すように、係合手段６５は一片の「へ」字状の帯状板６１で、帯状板６１は手摺先端部３２ａを覆うキャップ６０を介して手摺３２に固定される。なお、キャップ６０は手摺３２の延長上に突設される。
【００４２】
帯状板６１の一端部６１ａの内側面にブッシュ材としてのピン部６４が宛がわれる。ここで、各手摺支柱３１を立設したのちに、手摺３２を各手摺支柱３１の手摺保持部２９に沿わせるので手摺３２を安定した状態に保持できる。このため、ネジ等の固定具６２を一端部６１ａとピン部６４に挿通して図示しない隣接手摺支柱の溝部にスライド自在に係合することができる。そして、位置調整完了後に固定具６２をさらにネジ込んで一端部６１ａを隣接手摺支柱に固定する。
【００４３】
帯状板６１の他端部６１ｂの内側面にもピン部６４が宛がわれ、ブッシュ部６４をキャップ６０の孔６０ｃに挿入し、ネジ６０ｂを他端部６１ｂとピン部６４に挿通して帯状板６１はキャップ６０にピン固定される。
【００４４】
使用されない反対側の孔６０ｃは化粧カバー６３で覆うことにより外観性を良くして品質性を向上することができる。また、帯状板６１が「へ」字状の形状であるため、直線状に比べて外観性に優れるので品質性が向上する。
【００４５】
本発明の第３の実施形態によれば本発明の第２の実施形態と同様の効果が得られる。
【００４６】
以上、本発明の実施形態を図面に基づいて説明したが、上記の実施例はいずれも本発明の一例を示したものであり、本発明はこれらに限定されるべきでないということは言うまでもない。
【００４７】
例えば、第２の実施例において、取付片４１ｃを両側面に取付けて帯状板４０を隣接手摺支柱３３の両側面に設けることもできる。同様に、第３の実施例において、帯状板６１を両側面に使用することもできる。
【００４８】
固定具の取付けを確実且つ容易にするために、隣接手摺支柱の溝部の底面の上下方向に浅いＶ字状の位置決め用下溝を設けてもよい。
【図面の簡単な説明】
【００４９】
【図１】本発明の第１の実施形態における、手摺３２と隣接手摺支柱３３が係合手段３６を介して係合される階段手摺取付構造３０を示す側面図である。
【図２】本発明の第１の実施形態における、(ａ)は図１のＡ−Ａ一部断面矢視図、（ｂ）は図１のＢ−Ｂ断面図、（ｃ）は図１のＣ−Ｃ断面図である。
【図３】本発明の第１の実施形態における、手摺３２と隣接手摺支柱３３の取付角度範囲を示す側面図である。
【図４】本発明の第２の実施形態における、手摺３２と隣接手摺支柱３３が係合手段３９を介して係合される階段手摺取付構造３０ａを示す側面図である。
【図５】本発明の第２の実施形態における、図４のＤ−Ｄ一部断面矢視図である。
【図６】本発明の第２の実施形態における、（ａ）は図４のＥ−Ｅ断面図、（ｂ）は図４のＦ−Ｆ断面図である。
【図７】本発明の第３の実施形態における、階段手摺取付構造３０ａの帯状板６１とキャップ６０の組付け分解斜視図である
【図８】従来例における、手摺支柱の固定手段の取付状態を示す斜視図である。
【符号の説明】
【００５０】
３０  階段手摺取付構造
３１  手摺支柱
３１ａ  上端部
３２  手摺
３２ａ  手摺先端部
３３  隣接手摺支柱
３３ｂ  溝部
３５  側面
３６  係合手段
３６ａ  一端部
３６ｂ  他端部
３６ｄ  固着具
３７  ピン部
３７ｂ  固着具
【図１】
2008002246.tif 000003
【図２】
2008002246.tif 000004
【図３】
2008002246.tif 000005
【図４】
2008002246.tif 000006
【図５】
2008002246.tif 000007
【図６】
2008002246.tif 000008
【図７】
2008002246.tif 000009
【図８】
2008002246.tif 000010